(57)【要約】 【課題】  本発明は、簡単に着脱できる閉鎖のための係止舌片部を有する袋体の提供を課題とするものであり、特に袋体の閉鎖を用意に行なえると共に更に袋体の開被を簡単に行える袋体の提供を課題とする。更に製袋が容易でコストの掛からない袋体の提供を課題とする。【解決手段】  係るため、袋体の開口部を係止舌片部によって閉鎖する袋体であり、該係止舌辺部は袋体に着脱自在に装着するものであり、該係止舌片部が袋体の開口部の一面から他の一面に該開口部或いは取っ手孔の内周周辺部を掛け渡して袋体を封鎖する袋体によって解決できる。【選択図】    図１
2009184700.tif 000002
【特許請求の範囲】
【請求項１】
袋体の開口部を係止舌片部３によって閉鎖する袋体であって、
該係止舌片部は袋体の開口部の一面から他の一面に該開口部に掛け渡して閉鎖するものであり、該袋体の面と係止舌片部と接着するものであることを特徴とする袋体。
【請求項２】
袋体の開口部の各面に夫々係止舌片部を有し、該係止舌片部同士を接着部材によって接着することによって袋体の開口部を閉鎖することを特徴とする請求項１記載の袋体。
【請求項３】
袋体を構成する夫々の面に孔を穿設して構成する取っ手孔２の内周周辺部に係止舌片部を掛け渡して該袋体の開口部を封鎖することを特徴とする袋体。
【請求項４】
係止舌片部３が袋体の面から着脱自在であることを特徴とする請求項１乃至３のいずれかに記載の袋体。
【請求項５】
係止舌片部３が切断可能に形成されているものであることを特徴とする請求項１乃至４のいずれかに記載の袋体。
【請求項６】
係止舌片部３の両端部分が幅広に形成されていることを特徴とする請求項１乃至５のいずれかに記載の袋体。
【請求項７】
前記幅広部分に接着部材を有することを特徴とする請求項１乃至６のいずれかに記載の袋体。
【発明の詳細な説明】
【技術分野】
【０００１】
本発明は、閉鎖具を有する袋体に関し、より具体的にはプラスチックフィルム等により構成される袋体の開口部又は穿孔した取っ手部に袋体の開口部を封鎖する係止舌片部を設けた袋体に関する。
【背景技術】
【０００２】
従来より、袋体内に内容物を入れて運搬や保管の便に供するために種々の袋体が多用されてきており、特に袋体の開口部を閉じずにそのまま用いることは一般的に行われているものである。
また、内容物が外部にこぼれ出ないように例えば接着テープ等の袋体とは別部材を用いて袋体の開口部を封鎖して用いることも多用されてきているものである。
例えば、買い物等に多用される袋体としては例えば特開平８−１１９００（特許文献１）が存在する。
このほか角底を有する袋体としては例えば特開平６−３１２７５０（特許文献２）に明示の袋体も多用されている。
あるいは、他の袋体の構成としては例えば特開平７−２７７３４５（特許文献３）や特開平７−２８５５６０（特許文献４）に明示の袋体も多用されている。
これらにあっては、袋体内に内容物を入れた上で袋体の把持手部を持って持ち運びを可能とし、あるいは袋体内に内容物を入れた状態で商品販売等のための展示を可能とする。
【特許文献１】特開平８−１１９００
【特許文献２】特開平６−３１２７５０
【特許文献３】特開平７−２７７３４５
【特許文献４】特開平７−２８５５６０
【発明の開示】
【発明が解決しようとする課題】
【０００３】
以上の様に、内容物を入れて運搬あるいは保管するための袋体、また内容物をしまった状態で販売などをするための袋体としては多様な形態の袋体が用いられている。
これらの場合、内容物が外部にこぼれ出ないように袋体内に内容物を入れた際には、別部材からなる例えば接着テープなどで開口部をとじるものとしている。
この場合、例えば特許文献１にあっては、該文献の図１・図５・図９に示すとおり、袋体の両端部方向に設けられた提げ手部に挟まれた開口部に設けたそれぞれ折り返し部同士を別部材からなる接着テープで接着することにより、閉じることが必要となる。
また、特許文献２にあっては、提げ手孔に手を差し入れて袋体を提げることから、袋体の開口部は手に提げた状態では開きにくいものとなり、内容物が外部にこぼれ出にくいものである。
しかし、例えば該袋体内に内容物である商品を入れた状態で展示販売などする場合には、袋体は開口状態で置かれる事となり、内容物が簡単に外部に出てしまう恐れがある。
【０００４】
従って、この場合において袋体の開口部をとじるためには、別部材として接着テープを用い、これで開口部を封鎖接着することが必要となっていた。
さらに例えば特許文献３に示す図３・図１０・図１１のように接着テープを結ぶことにより開口部を閉じる構成が必要となり、あるいは特許文献４の図５・図９に示すように別部材として接着テープを用いて開口部を閉じる構成が必要となっていた。
以上のように袋体内の内容物が外部にこぼれ出ないようにするために種々の方策が講じられているが、まず別部材として接着テープを用いる構成にあっては当然に袋体と別に接着テープを用意することが必要であり、ひとつひとつの袋体に別部材として接着テープを用いて開口部を閉じることは非常に手間のかかるものとなる。
従って、例えば商品の販売を行う店頭で果物などを透明のプラスチック製の袋体内に入れた状態での販売に際しては、袋体の開口部をとじることに対する要望はあるにも拘らず、手間や費用等の関係から開口状態で販売しているのが実情である。
【０００５】
さらに、このような内容物の入った袋体を購入した購買者においても、別途接着テープを用意した上で、これを用いて開口部の封鎖を行うことが必要であり、非常に手間のかかるものといわざるを得なかった。
更に、接着テープに関して市販されている一般的な接着テープが多用されるものであり、特に袋体の開口部を封鎖するために使い勝手のよい特殊な構造をしているものではなく、例えばロール状に巻回されている一面に接着面を有するテープを適宜必要な大きさに切断した上で、一面の接着部材塗着面に気をつけながら、該テープを貼り付けることが必要である。
したがって、単に一の袋体の開口部を封鎖する場合においても注意が必要であり、熟練を要するが、特に多数の袋体に対して内容物を封入後、ひとつずつ袋体の開口部を閉じることが必要となる販売者や製造者における袋詰めを担当する者においては熟練を要しなければ体裁のよいあるいは効率のよい袋体の封鎖は行いにくいという欠点を有している。
【０００６】
なお、袋体に開口部封鎖用の舌片部分を設けた構成にあっては、この部分を手で結ぶことが必要であり、手間がかかるばかりでなく、縛った状態での袋体の見栄えはそれほどよいものとは言えず、内容物を封入した状態での販売にはあまり適した形態とはいえないものである。
従って、これらの欠点を解消し、手軽にプラスチック等の袋体の開口部を封鎖可能とし、更には封入状態での体裁のよい袋体の提供が望まれていた。
【０００７】
また、このような袋体にあっては更に、製袋が容易でコストの掛からない袋体が望まれており、両者を同時に解決可能な袋体の提供が望まれていた。
更には、一度接着テープを用いて開口部を閉じた袋体の開口は、接着テープをはがすことが極めて難しく、袋体自体を裂いて内容物を取り出すことが多々あり、簡単にかつ袋体を裂かずに袋体の封鎖した開口部の再開口を可能とする袋体の提供も望まれていた。
【課題を解決するための手段】
【０００８】
本発明は前記課題を解決するものであり、まず請求項１に記載の発明は、袋体の開口部を係止舌片部によって閉鎖する袋体であって、該係止舌片部は袋体の開口部の一面から他の一面に該開口部に掛け渡して閉鎖するものであり、該袋体の面と係止舌片部と接着する袋体からなり、係る発明によって前記課題を解決できる。
又、請求項２に係る発明は袋体の開口部の各面に夫々係止舌片部を有し、該係止舌片部同士を接着部材によって接着することによって袋体の開口部を閉鎖する袋体からなるものであって、係る発明によっても前記課題を解決できる。
この他、請求項３に係る発明は袋体を構成する夫々の面に孔を穿設して構成する取っ手孔の内周周辺部に係止舌片部を掛け渡して該袋体の開口部を封鎖する袋体よりなり、穿設孔による取っ手孔を有する袋体においても用いることができる。
【０００９】
更に、請求項４に係る発明は係止舌片部が袋体の面から着脱自在である袋体からなり、係る構成を用いたものでも、或いは請求項５に係る発明の様に係止舌片部が切断可能に形成されている袋体でもよい。
これらの他特に請求項６に係る発明の様に係止舌片部の両端部分が幅広に形成されている袋体でも、又請求項７に係る発明の様に前記幅広部分に接着部材を有する袋体であってもよい。
【発明の効果】
【００１０】
前記のように、本発明に係る構成を用いることにより、袋体の封鎖を係止舌辺部によってきわめて容易にできるとともに、閉鎖可能の袋体を簡単にかつ低廉に提供できることとなる。
特に、袋体の閉鎖のみならず開被を簡単に行なうことができ、袋体内への収納と取り出しを交互に行なうことができるようになる。
更に、係止舌辺部の両端部を幅広に構成することによって、例えば接着の効果を高めることができ、着脱に際しての効率を高めることができるという各種の効果を有するものである。
以上のように、きわめて簡単な構成ではある反面その効果は絶大であり、各種の袋体に応用でき、簡単に製袋できるものである。
【発明を実施するための最良の形態】
【００１１】
本発明について図面に基づいて説明する。  まず図１は、本発明の基本的な一実施の状態を示す図である。
角底を有するプラスチックフィルムで形成された透明な袋体１の穿孔にて形成した取っ手孔２に係止舌片部３を配設し、該係止舌片部３にて袋体１の開口部分を封鎖するものである。
この場合、係止舌片部３の一端部３１は袋体１を構成する一面１１と接着又は融着しており、他端３２にも接着部材４が塗着されており、例えば剥離紙等により接着面を覆っているものである。
又、袋体１の一の面１１の取っ手孔２を有する位置に係止舌片部３の一端部３１が接着或いは融着しているが、これは製袋時に予め熱シール等により融着しているものであっても、あるいは製袋時に係止舌片部３を接着する工程を有して接着するものでもよい。
或いは、必要時に接着部材により係止舌片部３を接着配設したものであってもよい。
【００１２】
更に、この様な係止舌片部３の他端部３２には接着面４を有し、その面は剥離紙で覆われた状態として袋体に配設しているものである。
このような袋体１内に内容物を入れた際に、係止舌片部３の他端部３２の剥離紙を剥がして接着面４を表出させ、袋体１を構成する他の面１２の外面に該接着面４を接着させることにより、袋体１を構成する二つのフィルム面同士を封鎖可能とし、袋体１の開口部が封鎖されることとなる。
これにより、袋体の１内容物が外部に零れ出ることを妨げることができる。
例えば、当初より袋体１に該係止舌片部３を有していれば、袋体１内に内容物を入れて開口部を閉じる必要が出た際に別部材等を使わなくとも、予め袋体１に配設してある係止舌片部３を用いて簡単に封鎖できることとなる。
更に、該係止舌片部３は製袋時に製袋工程において袋体１に接着乃至融着しておくことができ、製袋工程にて容易に配設できるものである。
【００１３】
次に図２は図１のＡ−Ａ線断面図であり、袋体の一面に設けた取っ手孔２の下端部分に係止舌片部３の一端部３１を接着乃至融着した状態を示す。
本図では取っ手孔２の下端部分に設けた状態を示すが、この部分に限らず上端部分でも或いは袋体１の開口上端部分に配設したものであってもよい。
係止舌片部３は袋体１の表裏面を構成するフィルム面１１に対して、係止舌片部３を配設して構成する例を示すが、例えばフィルム面自体から係止舌片部３を形成して袋体の面を構成するものであってもよい。
即ち、製袋時に予め係止舌片部３を有するフィルム面を形成した上で、該フィルムを用いて袋体１を構成するものであってもよい。
【００１４】
次に、図３は袋体１開口部を挟んで係止舌片部３の他端部３２を他のフィルム面１２の外面に接着した状態を示す図である。
この様な構成により、開口部を閉じて封鎖状態とできる。
又、係止舌片部３の他端部３２に塗着した接着部材４により袋体１を閉じるが、一旦閉じた袋体１から内容物を取り出す際には該係止舌片部３をはがす等のことができるものであり、これによって袋体の開閉を行なうことができる。
特に係止舌片部３を袋体の面から着脱自在とすることによって簡単に袋体に装着できることとなるばかりでなく、袋体の開口部の開閉を繰り返し行なうこともできる。
係る場合に、取り外しの便宜を図るため図４に示すように係止舌片部３の他端部３２の接着部材４塗着部から更に端部３２方向に、該係止舌片部３を摘みやすくするために接着部材の塗着していない部位として摘み部５を有するものであってもよい。
このように構成すると、この摘み部５をつまんで係止舌片部３の接着部分４を引き剥がすことが容易となり、係止舌片部３の着脱の便宜を図れる。
【００１５】
更に、図５は袋体１を構成する表裏面のそれぞれのフィルム面１１，１２に係止舌片部３ａ，３ｂをそれぞれ設け、開口部を閉じる際に両係止舌片部３ａ，３ｂを接着することにより閉鎖する一例を示す図である。
この場合に、それぞれの係止舌片部３ａ，３ｂをそれぞれの端部３２部分で接着するために少なくとも一の係止舌片部３に接着部材４が塗着していることが必要である。
なお、該接着部材４塗着面は剥離紙等で通常は覆っておくことにより、不用意なる接着を防げる。
【００１６】
次に、図６は図５のそれぞれの係止舌片部の端部同士を接着した状態を示す図であり、図７は袋体１自体の面に係止舌片部３を形成した一例を示す図である。
袋体の表裏面を構成するプラスチックフィルムの取っ手孔２を穿孔する際に該係止舌片部３を形成して穿孔した例を示す図である。
従って、係止舌片部３を有した状態で製袋できる。
【００１７】
この場合、袋体１の表裏面ともに係止舌片部３ａ，３ｂをそれぞれ構成したものであっても、或いはいずれか一面にのみ係止舌片部３を設けたものであってもよい。
尚、前記と同様に係止舌片部３の端部３２には接着部材４が塗着されている。
次に、図８は袋体１の一の面１１に係止舌片部３を設けた袋体において、係止舌片部３の端部３２を袋体の他の面１２の外面にまで掛け回して、該端部３２の接着部材４により袋体１の他の外面１２に接着して袋体１の開口部を閉鎖したものある。
【００１８】
又、図９は袋体１の表裏面の両面に夫々係止舌片部３ａ，３ｂを設け、夫々の係止舌片部３ａ，３ｂの端部３２同士を接着部材４により接着した状態を示す図である。
尚、この場合の係止舌片部３ａ，３ｂへの接着部材４の塗着は、両係止舌片部３ａ，３ｂへ塗着したものであっても、或いはいずれか一の係止舌片部３に塗着したものであってもよい。
これらに示すように、係止舌片部３に関しては袋体１の開口部をわたって袋体の他の面にまで延在して掛け渡すことができる形状を有していればよいものであり、例えば本明細書の図面に明示した構成が最適な実施例である。
【００１９】
次に、図１０は袋体１に接着又は融着する係止舌片部３の他の例を示す図であり、本図に示すように、例えば係止舌片部３の接着又は融着箇所３１と、他の袋体の面１２と接着すべき接着部材４の塗着部位間にスリット６が入った一例を示す。
この様にスリット６を入れることにより、塗着した接着部材４を用いて一旦封鎖後にこのスリット６に沿って係止舌片部３を裂くことにより再度袋体１の開口部を開口できる。
これによって係止舌片部３を切断可能とする。
【００２０】
この場合、例えば係止舌片部３の両端部に切れ込みを入れて切断可能とするものであっても、或いは係止舌片部３の中央部であって幅方向に紐状部材を掛け渡し、該紐状部材を引くことによって係止舌片部３を切断するものであっても、或いは係止舌片部３の中央部を薄手に構成し、該部分によって切断を容易にするものであってもよい。
もとより例えば係止舌片部３が袋体の面から着脱自在であれば、係止舌片部３を取り外すことは可能であり、容易に袋体の開口部を開被できるが、更に切断可能にしておくことにより、より確実に袋体の開被状態の維持を図れるものとなる。
従って、袋体１の封鎖が容易であるばかりでなく、再開口も簡単にでき、きわめて使い勝手のよい袋体の提供が可能となる。
【００２１】
次に図１１は該係止舌片部３の一例を示す図であり、両端部３１，３２方向にそれぞれ接着部材４が塗着されており、両接着部材間にスリット６が形成されている。
この様に形成した係止舌片部３を袋体１の必要箇所に接着すればよいものである。
尚、接着部材４塗着面には剥離紙７が張ってあり、必要時にこれをはがして袋体１に貼着すればよい。
また、本例として両端部に接着部材を用いた例を示すが、例えば予め袋体に配設する際には接着部材による接着ではなく、製袋時あるいは別工程時におけるヒートシール加工による熱融着によって配設されたものであってもよい。
【００２２】
又、図１２は係止舌片部３の一端に摘み部５を形成した例である。
この摘み部５により、摘み部近傍の接着部材による接着をはがして開封できる。
以上のように本発明はきわめて使い勝手のよい発明であり、製袋過程において製造することも可能である。
更に、図１３は係止舌片部３の他の例を示す図であり、その一端に摘み部５を有し、該摘み部５から他端３１方向に接着部材４が塗着している係止舌片部３の他の実施例である。
この様に構成することにより、接着部材４塗着部分に剥離紙７等を貼着しておき、接着面４を通常時には覆って、必要時には剥離紙７を剥がすことができ、これによって接着部材４塗着面を表出させて袋体１の開口部を封鎖するために袋体１の一の面１１から他の面１２にわたって掛け渡して接着することができ、開口部の封鎖ができる。
【００２３】
特に、袋体１と別部材として係止舌片部３を用意することができ、袋体１内に内容物を入れた時点において袋体を封鎖する場合に本形態の係止舌片部３の接着面４において袋体１の表裏面のそれぞれの外面１１，１２に渡って係止舌片部３を掛け渡し接着することにより、開口部を閉鎖できる。
更に、袋体開口部封鎖用の係止舌片部３であり、極めて使い勝手がよく、袋体に簡単に貼着することができ、必要に応じて摘み部５を形成できるものであって、一旦封鎖した後の段階においてその開被や更に再度の封鎖、或いは係止舌片部３自体の任意の着脱を容易にできる。
尚、本図には明示していないが、係止舌片部３の任意箇所に切断可能な形状や構造を有し、必要に応じて係止舌片部３の切断を可能とするものであってもよい。
【００２４】
次に、図１４は本発明に係る係止舌片部３の一例を示す図であり、予め係止舌片部３を多数製造し、別途製袋した袋体１に必要に応じて貼り付けるための係止舌片部３の所謂ロットの一例である。
例えばスーパーマーケット等において、袋体内に野菜や果物を封入して展示販売する際に該野菜等の封入に伴って、該係止舌片部３にて開口部を閉じることができ、販売時に内容物の零れ出ることを防げ、衛生面で極めて有効であると共に、簡単に袋体の封鎖を行えるものとなる。
尚、図１１乃至図１３に示す係止舌片部３を図１４と同様に予め多数製造しておき、必要に応じて用いるものであってももちろんよい。
【００２５】
例えば、図１０に示す袋体に各係止舌片部のいずれかを貼着すれば、本発明の構成とすることができ、簡単に本発明の効果を得ることができる。
これらの場合係止舌片部３はその両端部分が幅広に形成されているものであってもよい。
少なくとも該両端部が、袋体の面或いは他の係止舌片部の端部との間において着脱自在に装着するものであることから、装着面を増やすことによって装着の強度や確実性を高めることができる。
例えばこの部分に接着部材を有することによって着脱自在の装着を図るものであってもよい。
この他、係止舌片部の１反部のみを幅広に構成するものであってもよい。
【００２６】
次に、これらの係止舌片部は取っ手孔の端片部例えば袋体内部方向例えば下方端辺部等に配設するものに限らず、上部方向の端辺部や側端辺部に配設するものであってもよく、一の面の取っ手孔の内周周辺部に着脱自在に装着し、他の面の取っ手孔の内周周辺部に亘って掛け渡して更に着脱自在に装着し、係止舌片部によって袋体を該位置で封鎖するものであってもよい。
装着に際しては例えば接着等によって装着するものであってもよいのはもちろんである。
更には取っ手孔ではなく、袋体の開口部を形作る上部端辺部等に着脱自在に装着するものであってもよく、例えば貼着するものであってもよい。
【００２７】
少なくとも袋体の内容物が外部に零れ出ないように全体を封鎖或いは部分的に封鎖することのできるものであればよい。
尚、必要に応じて係止舌片部の一端を融着等によって排泄し、他端を着脱自在に接着などを可能としたものであってもよい。
次に、図１５は一般的に多用されている所謂レジ袋に本発明に係る係止舌片部３を用いた一例を示す図である。
この様に用いることによって、簡単に袋体の封鎖を行うことができるものである。
【図面の簡単な説明】
【００２８】
【図１】本発明の基本的な一実施の状態を示す図
【図２】図１のＡ−Ａ線断面図
【図３】本発明の他の一実施の状態を示す断面図
【図４】本発明の他の一実施の状態を示す断面図
【図５】本発明の他の一実施の状態を示す断面図
【図６】本発明の他の一実施の状態を示す断面図
【図７】本発明の他の一実施の状態を示す図
【図８】封鎖状態の一例の断面図
【図９】封鎖状態の一例の断面図
【図１０】本発明の他の一実施の状態を示す図
【図１１】本発明に係る係止舌片部の一例を示す図
【図１２】本発明に係る係止舌片部の一例を示す図
【図１３】本発明に係る係止舌片部の一例を示す図
【図１４】本発明に係る係止舌片部の一例を示す図
【図１５】本発明の他の一実施の状態を示す図
【符号の説明】
【００２９】
１    袋体
２    取っ手孔
３    係止舌片部
４    接着部材    
５    摘み部
６    スリット
７    剥離紙
【図１】
2009184700.tif 000003
【図２】
2009184700.tif 000004
【図３】
2009184700.tif 000005
【図４】
2009184700.tif 000006
【図５】
2009184700.tif 000007
【図６】
2009184700.tif 000008
【図７】
2009184700.tif 000009
【図８】
2009184700.tif 000010
【図９】
2009184700.tif 000011
【図１０】
2009184700.tif 000012
【図１１】
2009184700.tif 000013
【図１２】
2009184700.tif 000014
【図１３】
2009184700.tif 000015
【図１４】
2009184700.tif 000016
【図１５】
2009184700.tif 000017